(57)【要約】【課題】フィンを回動限まで回動させて空気吹出口を全閉するフィンシャット時に、フィン間に小さい均一の隙間を確実に形成させてフィンシャット時の高周波ノイズの発生を防止する。【解決手段】隣接配置したフィン２，２の幅端部２ａ，２ｂをフィンシャット時に接近させて空気吹出口を全閉するようにしているレジスタであって、フィン２，２の接近する幅端部２ａ，２ｂ相互間にフィンシャット時に当接する突部８を設け、フィンシャット時にフィン２，２の接近した幅端部２ａ，２ｂ間に一定の隙間Ｌが形成されるようする。【選択図】図２
2005041429.tif 000002
【特許請求の範囲】
【請求項１】
隣接配置したフィンの幅端部をフィンシャット時に接近させて空気吹出口を全閉するようにしているレジスタであって、前記フィンの接近する幅端部相互間にフィンシャット時に当接する突部を設け、フィンシャット時にフィンの接近した幅端部間に一定の隙間が形成されるようにしたことを特徴とするレジスタ。
【請求項２】
前記突部を、フィンの長手方向に複数形成したことを特徴とする請求項１に記載のレジスタ。
【発明の詳細な説明】
【技術分野】
【０００１】
本発明は、複数隣接配置されたフィンが連動して回動し、その回動限で空気吹出口を全閉するようにした自動車用のレジスタに関する。
【背景技術】
【０００２】
自動車のインストルメントパネルには、図４、図５に示す如く空調用の空気を吹き出すための空気吹出口１に、複数の細長いフィン２を回動可能に備えたレジスタ３が設けられている。図４、図５に示すレジスタ３は、水平方向に細長い複数のフィン２を上下に隣接配置して各々の両端の幅方向一側に設けた支軸４により吹出口本体５に回動可能に取付けてあり、フィン２の長手方向一端側にはフィン２を一斉に回動させる図示しない連杆が設けられている。各フィン２は図４の操作ノブ６による操作或いは図示しないモータの駆動によって連杆を介し一斉に上下方向に回動させることにより通風の方向を上下に調節できるようにしている。又、前記水平に設けたフィン２の内奥部に垂直のフィンを隣接して配置し、該垂直フィンを左右方向に回動することによって通風方向を左右に調節できるようにしたものもある。
【０００３】
前記レジスタ３には、空調停止時にフィン２を回動限まで回動すると、各フィン２が相互に接近して空気吹出口１を全閉状態に遮断するようにしたフィンシャット形のものがある。
【０００４】
図６では、レジスタ３のフィンシャット時に、細長いフィン２の回動先端側の幅端部２ａが隣接するフィン２の支軸４側の幅端部２ｂに接近することによりその幅端部２ａ，２ｂ間に僅かな隙間Ｓを形成して遮断を行うようになっている。又、図７では、レジスタ３のフィンシャット時に、細長いフィン２の回動先端側の幅端部２ａに設けた重ね合わせ段部７を隣接するフィン２の支軸４側の幅端部２ｂに接近させることにより重ね合わせ部５，２ｂ間に僅かな隙間Ｓを形成して遮断を行うようになっている。
【０００５】
上記したフィンシャット形のレジスタ３では、フィン２を回動限まで回動させるフッンシャット時に遮断壁が形成され、この遮断によって外部の塵や臭い等が室内に侵入するのを防止している。
【０００６】
しかし、上記したフィンシャット形のレジスタ３においては、隣接するフィン２の間隔が狭い割りにその長手方向長さが長く、しかもフィン２は通常合成樹脂で形成されているために、室内側からの負荷或いは長期にわたる空気吹込側からの負荷を受けることによってフィン２が図８に示すように曲りを生じる場合がある。このように曲ったフィン２’が１つでも生じると、フィンシャット時にフィン２，２’間に大きな隙間が生じることになって遮断が達成できなくなるばかりでなく、フィン２，２’間に不均一な隙間が生じることによって高周波ノイズの笛吹き現象が発生することがある。
【０００７】
一方、フィンシャット形のレジスタ３では、全閉してもフィン２間の隙間を完全になくすことはできず、フィン２間には機械的な製作誤差による隙間が常に存在する。従来、この隙間による風漏れを低減するために、フィン２の隙間に隙間詰めを実施しているが、この隙間詰めを行うことによって不均一な隙間が生じ、このために高周波ノイズが大きくなってしまう場合がある。従って、フィンシャット形のレジスタでは、遮断性が高められ且つ高周波ノイズの発生が防止できるフィンの形状を決定するために苦慮しているのが現状である。
【０００８】
このため、各フィンの一方向の回動限において隣り合うフィンと当接し空気通路内に遮断壁を形成するようにフィンが配設された構成において、フィンを回動させる連杆に、遮断壁の形成時にフィンに当接して各フィンの当接部を互いに押圧する方向に付勢する押圧片を突設し、この連杆に設けた押圧片によって各フィンを密着させて全閉時のシール性を高めたものがある（例えば、特許文献１参照）。
【特許文献１】特開２０００−３２６７２０号公報
【発明の開示】
【発明が解決しようとする課題】
【０００９】
しかし、前記特許文献１に記載のものは、連杆に設けた当接部でフィンを押圧することによって各フィンの密着性を高めるようにしたものであるが、連杆はフィンの長さ方向端部に片寄って設けられているために、図８に示す如くフィン２’が曲りを生じた場合に、このフィン２’の曲りを矯正する機能はなく、よって曲りによってフィン２，２’間に不均一な隙間が生じてしまう。従って、この不均一な隙間によりシール性が保持できないばかりか、不均一な隙間によって高周波ノイズを生じる問題がある。
【００１０】
本発明は、フィンを回動限まで回動させて空気吹出口を全閉するフィンシャット時に、フィン間に小さい均一の隙間を確実に形成させることによってフィンシャット時の高周波ノイズの発生を防止するようにしたレジスタを提供することを目的とする。
【課題を解決するための手段】
【００１１】
本発明は、隣接配置したフィンの幅端部をフィンシャット時に接近させて空気吹出口を全閉するようにしているレジスタであって、前記フィンの接近する幅端部相互間にフィンシャット時に当接する突部を設け、フィンシャット時にフィンの接近した幅端部間に一定の隙間が形成されるようにしたことを特徴とするレジスタ、に係るものである。
【００１２】
上記手段において、前記突部をフィンの長手方向に複数形成することは好ましい。
【００１３】
上記手段によれば、フィンの幅端部相互間に、フィンを回動限まで回動させて空気吹出口を全閉するフィンシャット時に当接する突部を設けたので、該突部によってフィンシャット時にフィンの幅端部間に一定の小さい隙間を確実に形成することができる。又、フィンが曲りを生じた場合にも、前記フィンの幅端部間に設けた突部によってフィンの幅端部が強制的に接近させられて一定の隙間を確実に形成するようになる。更に、前記隙間の大きさを、高周波ノイズを発生しない最小間隔の隙間とすることによって遮断性も保持できる。
【発明の効果】
【００１４】
本発明のレジスタは、フィンの幅端部相互間に、フィンを回動限まで回動させて空気吹出口を全閉するフィンシャット時に当接する突部を設けたので、該突部によってフィンシャット時にフィンの幅端部間に一定の隙間を確実に形成することができ、しかも、フィンが曲りを生じた場合にも前記突部によってフィンを強制的に接近させて一定の隙間を形成させることができ、このようにフィンシャット時に常に一定の隙間が形成されることによって高周波ノイズの発生を確実に防止できる利点がある。
【発明を実施するための最良の形態】
【００１５】
以下、図面を参照しつつ本発明の形態を説明する。
【００１６】
図１は本発明のレジスタを構成するフィンの一例を示す斜視図、図２は図１の側面図、図３は接近したフィンの幅端部の断面図であり、図中前記図４〜図８と同一のものには同じ符号を付して詳細な説明は省略する。
【００１７】
図１、図２に示す如く、フィン２の幅端部２ａ，２ｂ相互間に、フィン２を回動限まで回動させて空気吹出口１を全閉するフィンシャット時に当接するようにした所要高さの突部８を設ける。図１、図２では、フィン２の回動先端側の幅端部２ａに形成された重ね合わせ段部７に突部８を設けた場合を示しており、該突部８はフィン２の長手方向中間部の１個所に設けてもよく、又好ましくは、フィン２の長手方向に所要の間隔を有して複数設ける。
【００１８】
上記突部８は、前記図１、図２とは異なり、隣接するフィン２の支軸４側の幅端部２ｂに突部８を設けるようにしてもよい。又、図６に示したように、フィン２の幅端部２ａ，２ｂが接近することによってその幅端部２ａ，２ｂ間に僅かな隙間Ｓを形成して空気を遮断する方式のフィン２の場合には、フィン２の回動先端側の幅端部２ａが支軸４側の幅端部２ｂに裏側から当接するように突部８を設けることができる。
【００１９】
前記突部８の高さは、図３に示すように高周波ノイズを発生しない最小間隔の隙間Ｌがフィン２の幅端部２ａ，２ｂ間に形成されるように、最小高さに設定する。
【００２０】
以下に、上記形態の作用を説明する。
【００２１】
図１〜図３に示した如く、レジスタ３のフィン２の幅端部２ａ，２ｂ相互間に、フィン２を回動限まで回動させて空気吹出口１を全閉するフィンシャット時に当接する突部８を設けたので、該突部８によってフィンシャット時にフィン２の幅端部２ａ，２ｂ間に一定の小さい隙間Ｌを確実に形成することができる。
【００２２】
又、フィン２の幅端部２ａ，２ｂの相互間にフィンシャット時に当接する突部８を設けたので、フィン２が曲りを生じた場合に、前記突部８によりフィン２の幅端部２ａ，２ｂが強制的に接近させられて一定の隙間Ｌを確実に形成するようになる。
【００２３】
このとき、フィンシャット時に高周波ノイズが発生しない最小間隔の隙間Ｌがフィン２の幅端部２ａ，２ｂ間に形成されるように、突部８の高さを最小高さに設定する。
【００２４】
従って、幅端部２ａ，２ｂの相互間に突部８を設けたことにより、フィンシャット時にフィン２の幅端部２ａ，２ｂ間に高周波ノイズを発生しない最小間隔の一定した隙間Ｌを確実に形成することができ、よって、レジスタ３のフィンシャット時において高周波ノイズが発生するのを確実に防止することができ、しかも最小間隔の隙間Ｌによって遮断性も保持できる。
【００２５】
尚、本発明は上記形態例にのみ限定されるものではなく、種々の形状のフィンに適用できること、突部の形状は任意であること、その他本発明の要旨を逸脱しない範囲内において種々変更を加え得ること、等は勿論である。
【図面の簡単な説明】
【００２６】
【図１】本発明のレジスタを構成するフィンの一例を示す斜視図である。
【図２】図１の側面図である。
【図３】接近したフィンの幅端部の断面図である。
【図４】レジスタの一例を示す斜視図である。
【図５】図４をＶ−Ｖ方向から見た断面図である。
【図６】フィンの形状例を示す斜視図である。
【図７】フィンの他の形状例を示す斜視図である。
【図８】フィンが曲りを生じた状態を示す斜視図である。
【符号の説明】
【００２７】
１  空気吹出口
２  フィン
２’    フィン
２ａ    幅端部
２ｂ    幅端部
３  レジスタ
５  吹出口本体
８  突部
Ｌ  隙間
【図１】
2005041429.tif 000003
【図２】
2005041429.tif 000004
【図３】
2005041429.tif 000005
【図４】
2005041429.tif 000006
【図５】
2005041429.tif 000007
【図６】
2005041429.tif 000008
【図７】
2005041429.tif 000009
【図８】
2005041429.tif 000010